(57)【要約】  【課題】前後部にそれぞれ拡幅された耳部を有するインナーパッドである場合に、紙おむつへの装着時に、上下左右へのズレを防止する。  【解決手段】紙おむつ１は、前側領域ＦＺ及び後側領域ＢＺにおける前記一対のポケットＰ、Ｐの最大幅距離ＳＦ、ＳＢが、前記紙おむつ１の股下領域ＣＺにおける前記一対のポケットＰ、Ｐの最大幅距離ＳＣよりも大きく設定されており、かつ前記インナーパッド１４は前記前側領域ＦＺから後側領域ＢＺに亘る製品長とされるとともに、前記前側領域ＦＺ、後側領域ＢＺ及び股下領域ＣＺのそれぞれにおいて前記一対のポケットＰ、Ｐの最大幅距離ＳＦ、ＳＢ、ＳＣに相当する製品幅とされ、かつインナーパッド１４の前側領域ＦＺから後側領域ＢＺに至るほぼ全区間において、その左右側縁をそれぞれ前記ポケットＰ、Ｐを形成している立体ギャザーＢＳ、ＢＳの基端部に当接させて挿入可能となっている。【選択図】図５
2005160843.tif 000002
【特許請求の範囲】
【請求項１】
透液性表面シートと裏面シートとの間に吸収体が介在されるとともに、表面側両側部にそれぞれギャザーシートにより内方側に向かって開口する一対のポケットを形成する立体ギャザーを備え、前記透液性表面シート上に、インナーパッドを前記ポケットに挿入して保持することが可能な吸収性物品において、
前記吸収性物品の前側領域及び後側領域における前記一対のポケットの最大幅距離が、前記吸収性物品の股下領域における前記一対のポケットの最大幅距離よりも大きく設定されており、かつ前記インナーパッドは前記前側領域から後側領域に亘る製品長とされるとともに、前記前側領域、後側領域及び股下領域のそれぞれにおいて前記一対のポケットの最大幅距離に相当する製品幅とされ、かつインナーパッドの前側領域から後側領域に至るほぼ全区間において、その左右側縁をそれぞれ前記ポケットを形成している立体ギャザーの基端部に当接させて挿入可能となっていることを特徴とする吸収性物品。
【請求項２】
前記吸収性物品の後側ウエスト部分に、内方側に向かって開口する背面側ポケットを形成するウエスト部立体ギャザーを備え、前記インナーパッドの後側端縁を前記背面側ポケットを形成しているウエスト部立体ギャザーの基端部に当接させて挿入可能となっている請求項１記載の吸収性物品。
【請求項３】
前記透液性表面シート上に、前記前側領域から後側領域に亘り、前記一対のポケット間に前記インナーパッドが挿入保持されている請求項１、２いずれかに記載の吸収性物品。
【請求項４】
前記インナーパッドは、透液性表面シートと裏面シートとの間に吸収体が介在されるとともに、表面側両側部にそれぞれギャザーシートにより内方側に向かって開口する一対のポケットを形成する立体ギャザーを備え、前記透液性表面シート上に、更に第２のインナーパッドを前記ポケット間に挿入保持されている請求項３記載の吸収性物品。
【発明の詳細な説明】
【技術分野】
【０００１】
本発明は、尿取りパッド、失禁パッド等のインナーパッドを併用可能とした使い捨て紙おむつ等の吸収性物品に関する。
【背景技術】
【０００２】
近年、使い捨て紙おむつにおいては、頻繁に紙おむつを交換せずに済むようにするとともに、おむつの購入費用を削減するために、紙おむつと尿取りパッド・失禁パッド等のインナーパッドとを組み合わせて使用する方法が普及している。
【０００３】
具体的に下記特許文献１では、図６に示されるように、不織布などからなる透液性トップシート５１と、ポリエチレン等からなる不透液性バックシート５２の間に、綿状パルプなどの吸収体５３を介在させ、かつ表面側両側部に立体ギャザーＢＳ、ＢＳを形成するギャザーシート５４，５４を備えた構造の紙おむつ５０に対して、不織布などからなる透液性トップシート５６と、ポリエチレン等からなる不透液性バックシート５７との間に、綿状パルプなどの吸収体５８を介在させた構造を成し、全体としては方形を成しているインナーパッド５５とを組み合わせて使用可能としている。
【０００４】
前記インナーパッドを紙おむつに装着するに当たっては、体動により前記インナーパッド５５がずれないように、通常は同図に示されるように、前記インナーパッド５５の不透液性バックシート５７の外面側に粘着剤層５９を設け、使い捨て紙おむつ５０等のトップシート５１に接着するようにしているが、前記粘着剤層５９による固定のみでは複雑な変形、移動を強いられるインナーパッド５５のズレを確実に防止するのは困難であり、前記ギャザーシート５４，５４によるポケットＰ、Ｐ内に前記インナーパッド５５を挿入することにより横ズレを防止するようにしている。なお、図中斜線部分は前記ギャザーシート５４の接着面を示したものであるが、ポケットＰ、Ｐの最大幅距離は、インナーパッド５５の形状に合うように長手方向に均一幅となっている。
【０００５】
また、下記特許文献２では、上記特許文献１の場合は、横ズレは阻止できても上下方向のズレは防止し得ないとして、紙おむつの前側域における一対のポケットの最大幅距離を股下領域における前記一対のポケットの最大幅距離よりも大きくし、前記前側域のポケット最大幅距離を増大させた領域に、吸液性補助パッドを該パッドの左右側縁と前後側縁とをそれぞれ前記ポケットを形成しているフラップの接合部に当接させて挿入するようにした使い捨て紙おむつが提案されている。
【特許文献１】特開２０００−９３４３９号公報
【特許文献２】特開平９−７５３８５号公報
【発明の開示】
【発明が解決しようとする課題】
【０００６】
ところで、従来より前記使い捨て紙おむつとは別に、おむつカバーと挿入パッドとを組み合わせて使用するようにした製品も市場に提供されており、近年は前記おむつカバー用挿入パッドとして、横向きや仰向き寝の状態で効率よく体液を吸収し漏れを防止するために、方形状のインナーパッドに代えて、前後部にそれぞれ拡幅された耳部を有する平面形状のインナーパッドが使用されるようになってきている。
【０００７】
前記使い捨て紙おむつとインナーパッドとの組合せ使用においても、吸収量の増大と漏れ防止を図るために、前記前後部にそれぞれ拡幅された耳部を有するインナーパッドの使用が望まれるところ、現状では前記耳部を有するインナーパッドを効果的に固定するための構造は存在せず、例えばインナーパッドの股間部幅を一対のポケットの底部間幅に合わせた場合にはインナーパッドの耳部をポケット内にきっちりと挿入することができず、また前後領域において左右へのズレを防止することができない。また、インナーパッドの耳部幅を一対の立体ギャザーの底部間幅に合わせた場合には、股下領域においてインナーパッドの固定機能が低下し、漏れを確実に防止することができなくなる。
【０００８】
そこで本発明の主たる課題は、吸収性物品と、この吸収性物品の使用面側に装着されるインナーパッドとからなる組合せ使用に際して、前後部にそれぞれ拡幅された耳部を有するインナーパッドである場合に、装着時にインナーパッドの上下左右方向へのズレを確実に防止し、立体ギャザーの漏れ防止機能を確実に発揮させるようにすることにある。
【課題を解決するための手段】
【０００９】
前記課題を解決するための請求項１に係る本発明として、透液性表面シートと裏面シートとの間に吸収体が介在されるとともに、表面側両側部にそれぞれギャザーシートにより内方側に向かって開口する一対のポケットを形成する立体ギャザーを備え、前記透液性表面シート上に、インナーパッドを前記ポケットに挿入して保持することが可能な吸収性物品において、
前記吸収性物品の前側領域及び後側領域における前記一対のポケットの最大幅距離が、前記吸収性物品の股下領域における前記一対のポケットの最大幅距離よりも大きく設定されており、かつ前記インナーパッドは前記前側領域から後側領域に亘る製品長とされるとともに、前記前側領域、後側領域及び股下領域のそれぞれにおいて前記一対のポケットの最大幅距離に相当する製品幅とされ、かつインナーパッドの前側領域から後側領域に至るほぼ全区間において、その左右側縁をそれぞれ前記ポケットを形成している立体ギャザーの基端部に当接させて挿入可能となっていることを特徴とする吸収性物品が提供される。
【００１０】
請求項２記載の本発明として、前記吸収性物品の後側ウエスト部分に、内方側に向かって開口する背面側ポケットを形成するウエスト部立体ギャザーを備え、前記インナーパッドの後側端縁を前記背面側ポケットを形成しているウエスト部立体ギャザーの基端部に当接させて挿入可能となっている請求項１記載の吸収性物品が提供される。
【００１１】
請求項３記載の本発明として、前記透液性表面シート上に、前記前側領域から後側領域に亘り、前記一対のポケット間に前記インナーパッドが挿入保持されている請求項１、２いずれかに記載の吸収性物品が提供される。
【００１２】
請求項４記載の本発明として、前記インナーパッドは、透液性表面シートと裏面シートとの間に吸収体が介在されるとともに、表面側両側部にそれぞれギャザーシートにより内方側に向かって開口する一対のポケットを形成する立体ギャザーを備え、前記透液性表面シート上に、更に第２のインナーパッドを前記ポケット間に挿入保持されている請求項３記載の吸収性物品が提供される。
【発明の効果】
【００１３】
以上詳説のとおり本発明によれば、前後部にそれぞれ拡幅された耳部を有するインナーパッドである場合に、装着時にインナーパッドの上下左右方向へのズレを確実に防止し得るようになるとともに、一対のポケット内にきっちりとインナーパッドが挿入保持されるため立体ギャザーの漏れ防止機能を確実に発揮し得るようになる。
【発明を実施するための最良の形態】
【００１４】
以下、本発明の実施の形態について図面を参照しながら詳述する。
【００１５】
図１は本発明に係る使い捨て紙おむつ１の一部破断展開図、図２はそのII−II線矢視図、図３はそのIII−III線矢視図、図４はインナーパッド１４の一部破断展開図である。
【００１６】
（使い捨て紙おむつ１の構造）
図１において、使い捨て紙おむつ１は、不織布などからなる透液性表面シート３と、バックシート２との間に、綿状パルプなどの吸収体４を介在させた構造の紙おむつである。より具体的には、有孔または無孔の不織布や孔開きプラスチックシート等からなり使用面側を覆う透液性トップシート３と、不織布からなり紙おむつの外面側を覆うとともに、おむつ両側部では後述のギャザーシート６と共にサイドフラップ部ＳＦを構成する不織布からなるバックシート２と、前記透液性トップシート３とバックシート２との間に介在された、綿状パルプ等からなる、たとえば砂時計形状（または長方形状等）のある程度の剛性を有する吸収体４と、前記吸収体４とバックシート２との間に少なくとも吸収体４の全面積を覆うように配設されたポリエチレン等からなる防水フィルム５と、紙おむつの両側部に表面側に起立する立体ギャザーＢＳを形成するとともに、おむつ両側部では前記バックシート２と共にサイドフラップ部ＳＦを構成するためのギャザーシート６とから主に構成されている。なお、前記吸収体４は、形状保持と透液性トップシート３を透過した体液の拡散性向上のためにクレープ紙（図示せず）によって囲繞されているのが望ましい。
【００１７】
また、紙おむつ１の腹部および背側では、前記バックシート２、防水フィルム５および透液性トップシート３が共に延在し、吸収体４の存在しないエンドフラップ部ＥＦが形成され、特に背側エンドフラップ部ＥＦにおいては、前記防水フィルム５と透液性トップシート３との間に、複数の弾性伸縮部材１０，１０…が介在され、ウエストギャザーが形成されている。また、背側の両側部にはそれぞれ紙おむつを装着する際に使用されるファスニングシート８，８が固着されている。
【００１８】
なお、本例では、おむつ外面を覆うために用いられているシートとして、不織布からなるバックシート２が用いられ、かつ吸収体４とバックシート２との間にポリエチレン等からなる防水フィルム５が介在されているが、前記バックシートとして不透液性フィルムを使用し、防水フィルム５を省略した構造であってもよい。
【００１９】
前記吸収体４の表面側（肌当接面側）を覆う透液性トップシート３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。透液性トップシート３に多数の透孔を形成した場合には、尿などが速やかに吸収されるようになりドライタッチ性に優れたものとなる。
【００２０】
前記防水フィルム５は、両側縁部は吸収体４側縁よりも若干側方に延在して形成され、透液性トップシート３とホットメルト接着剤などにより固着されている。また、前記バックシート２は、前記防水フィルム５の外面側に積層され、紙おむつの外形線を成す位置まで延在され、後述のギャザーシート６とともにサイドフラップ部ＳＦを形成している。なお、前記防水フィルム５とバックシート２との積層体として、側縁部を本発明紙おむつに適合するように、防水フィルム５の側縁をバックシート２の内側位置として積層させたラミネート不織布を用いることができる。
【００２１】
前記防水フィルム５としては、近年、ムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に遠心することにより得られる微多孔性シートであり、仮にシート厚が同じであれば無孔シートよりも剛性が低下するため、柔軟性の点で勝るものとなる。
【００２２】
前記紙おむつの表面側両側部には、透液性トップシート３の側部を覆うとともに、バックシート２の側縁まで延在するギャザーシート６が配設され、このギャザーシート６の内方側シート部分により、内方側に向かって開口する一対のポケットＰ、Ｐを形成する立体ギャザーＢＳ、ＢＳが形成されている。すなわち、ギャザーシート６の内方側が二重に折り返され、この折返し部分に弾性伸縮部材１２が配設され、内方側シート部分が前記弾性伸縮部材１２の伸縮力を利用して表面側に起立するようになっている。
【００２３】
前記ギャザーシート６は、側部においてバックシート２と積層され、サイドフラップＳＦを構成している。このサイドフラップ部ＳＦにおいては、紙おむつ長手方向に沿って複数本、図示の例では２本の弾性伸縮部材１３，１３…が配設され、平面ギャザーが形成されている。
【００２４】
一方、後側の背側ウエストフラップＥＦ部分には、透液性トップシート３の側部を覆うとともに、バックシート２の後側端縁まで延在するウエスト部ギャザーシート７が配設され、このウエスト部ギャザーシート７の内方側シート部分により、内方側に向かって開口するポケットＰを形成する立体ギャザーＷＢが形成されている。すなわち、ウエスト部ギャザーシート７の内方側が二重に折り返され、この折返し部分に弾性伸縮部材２１が配設され、内方側シート部分が前記弾性伸縮部材２１の伸縮力を利用して表面側に起立するようになっている。
【００２５】
前記弾性伸縮部材１２，１３、２１としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２６】
前述のバックシート２、透液性トップシート３およびギャザーシート６、７を構成する素材繊維としては、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にサイドフラップ部ＳＦを構成する前記ギャザーシート６およびバックシート２としては、ゴワ付き感を無くすとともに、ムレを防止するために、坪量を抑えて通気性に優れた不織布を用いるのがよい。
【００２７】
一方、背側両側部に設けられたファスニングシート８，８は紙おむつの腹側表面に設けられたフロントターゲットテープ１１に前記ファスニングシート８の接合片８ａを止着することによって紙おむつが身体に装着されるようになっている。前記ファスニングシート８は、先端側に外側縁から延在して上下２段で側方に突出する接合片８ａ、８ａが形成され、この接合片８ａ、８ａの内面側（透液性表面シート３側）には、雄側面ファスナー９，９がそれぞれ取り付けられ、雌側面ファスナーを構成する前記フロントターゲットテープ１１へ接合可能となっている。なお、前記面ファスナー９を雌側とし、前記フロントターゲットテープ１１側を雄側としてもよい。
【００２８】
（インナーパッド１４の構造）
一方、図４に示されるインナーパッド１４は、不織布などからなる透液性トップシート１５と、ポリエチレン等からなる不透液性バックシート１６（又は防水フィルム及び不織布バックシート）との間に、綿状パルプなどの吸収体１７を介在させた構造を成し、前記紙おむつ１の前側領域ＦＺから後側領域ＢＺに亘る製品長とされるとともに、前部側及び後部側にそれぞれ拡幅された耳部を有する平面形状となっている。また、表面側両側部には、透液性トップシート１５の側部を覆うとともに、不透液性バックシート１６の側縁まで延在するギャザーシート１８、１８が配設され、このギャザーシート１８の内方側シート部分により立体ギャザーＢＳ、ＢＳが形成されている。すなわち、ギャザーシート１８の内方側が二重に折り返され、この折返し部分に弾性伸縮部材１９が配設され、内方側シート部分が前記弾性伸縮部材１９の伸縮力を利用して表面側に起立するようになっている。
【００２９】
さらに、前記不透液性バックシート１６の外面側には、インナーパッド１４を前記紙おむつ１の表面側に装着（接着）するために、粘着剤、面ファスナーなどの接合手段２０が設けられている。
【００３０】
（インナーパッドを装着するための紙おむつ構造）
図５に前記インナーパッド１４を紙おむつ１に装着した状態を示す。前記インナーパッド１４は、外面側に設けられた接合手段２０を紙おむつ１の透液性表面シート３に対して接合するとともに、立体ギャザーＢＳ、ＢＳのポケットＰ、Ｐを利用して装着されるようになっている。
【００３１】
先ず、前記紙おむつ１側においては、図５に示されるように、ギャザーシート６をおむつ表面の両側部にホットメルト接着剤或いはヒートシール等によって接着する際、同図に接着面を斜線で示したように、接着パターンに変化を付けて前記ギャザーシート６を取り付けるようにする。具体的には、前側領域ＦＺ及び後側領域ＢＺにおける前記一対のポケットＰ、Ｐの最大幅距離ＳＦ、ＳＢが、前記使い捨て紙おむつ１の股下領域ＣＺにおける前記一対のポケットＰ、Ｐの最大幅距離ＳＣよりも大きくなるように段状の接着パターンによりギャザーシート６を取り付けるようにする。
【００３２】
この場合、前記前側領域ＦＺ及び後側領域ＢＺにおける前記一対のポケットＰ、Ｐの最大幅距離ＳＦ、ＳＢは前記インナーパッド１４の耳部を有する前部側及び後部側の製品幅Ｓ'Ｆ、Ｓ'Ｂに対応しており、前記股下領域ＣＺにおける前記一対のポケットＰ、Ｐの最大幅距離ＳＣはインナーパッド１４の股間部製品幅Ｓ'Ｃに対応した寸法となっている。また、後側領域ＢＺにおける前記一対のポケットＰ、Ｐの最大幅距離がＳＢである長手区間長ＬＢはインナーパッド１４の耳部を有する後側部分の長手方向寸法Ｌ'Ｂに対応しており、前側領域ＦＺにおける前記一対のポケットＰ、Ｐの最大幅距離がＳＦである長手区間長ＬＦはインナーパッド１４の耳部を有する前側部分の長手方向寸法Ｌ'Ｆにそれぞれ対応している。
【００３３】
なお、紙おむつ１における後側領域ＢＺと股下領域ＣＺとの境界点と、前側領域ＦＺと股下領域ＣＺとの境界点は任意に変化し得るものである。例えば、後側領域ＢＺと前側領域ＦＺとをほぼ同一の寸法とすることでもよいし、特に男性用に対応させるために前側領域ＦＺを後側領域ＢＺよりも大きくすることも可能である。また、本例ではインナーパッド１４の拡幅された前側及び後側の製品幅Ｓ'Ｂ、Ｓ'Ｆを同一としたが、どちらか一方を大きくすることでもよい。
【００３４】
従って、前記インナーパッド１４を紙おむつ１に装着した状態では、図５に示されるように、インナーパッド１４の前側領域から後側領域に至るほぼ全区間において、その左右側縁をそれぞれ前記ポケットＰ、Ｐを形成している立体ギャザーＢＳ、ＢＳの基端部に当接させて挿入されているため、インナーパッド１４は上下左右方向のいずれの方向にも位置ズレしないように保持される。なお、同図では、後側ウエスト部においても、前記インナーパッド１４の後側端縁を前記背面側ポケットＰを形成しているウエスト部立体ギャザーＷＢの基端部に当接させて挿入されているため、前記後方向への位置ズレが確実に防止されるようになっている。
【００３５】
以上のように、前後部にそれぞれ拡幅された耳部を有するインナーパッド１４は、立体ギャザーＢＳ、ＢＳによるポケットＰ、Ｐ内にきっちりと挿入保持されているため、インナーパッド１４に形成された立体ギャザーＢＳ、ＢＳはもちろんのこと、紙おむつ１に形成された立体ギャザーＢＳ、ＢＳを有効に機能させることができるようになる。
【００３６】
〔他の形態例〕
(1)上記形態例では、本発明の対象となる紙おむつ型式はテープ式紙おむつとしたが、パンツ式紙おむつでも良く、かつ装着対象者も大人用、ベビー用のいずれでもよい。
(2)上記形態例では、使い捨て紙おむつ１の上面にインナーパッド１４を装着するようにしたが、更に前記インナーパッド１４の透液性表面シート１５の上面に、第２のインナーパッドを立体ギャザーＢＳ、ＢＳ間に挿入保持させるようにしてもよい。
(3)本発明の対象となる吸収性物品は、前記使い捨ておむつの他、パッド等の吸収性物品を含むものである。すなわち、透液性表面シートと裏面シートとの間に吸収体が介在されるとともに、表面側両側部にそれぞれギャザーシートにより内方側に向かって開口する一対のポケットを形成する立体ギャザーを備えたパッドの上面にインナーパッド１４が装着される態様を含むものである。
【図面の簡単な説明】
【００３７】
【図１】本発明に係る使い捨て紙おむつ１の一部破断展開図である。
【図２】図１のII−II線矢視図である。
【図３】図１のIII−III線矢視図である。
【図４】インナーパッド１４の一部破断展開図である。
【図５】インナーパッド１４を紙おむつ１へ装着した状態を示す展開図である。
【図６】従来のインナーパッド併用型紙おむつを示す、(A)は紙おむつ展開図、(B)はインナーパッド展開図である。
【符号の説明】
【００３８】
１……使い捨て紙おむつ、２…バックシート、３…透液性表面シート、４…吸収体、５…防水フィルム、６…ギャザーシート、７…ウエストギャザーシート、８…基材シート、８ａ…接合部、９…面ファスナー、１４…インナーパッド、１５…透液性表面シート、１６…不透液性裏面シート、１７…吸収体、ＢＳ…立体ギャザー、Ｐ…ポケット、ＳＦ…サイドフラップ
【図１】
2005160843.tif 000003
【図２】
2005160843.tif 000004
【図３】
2005160843.tif 000005
【図４】
2005160843.tif 000006
【図５】
2005160843.tif 000007
【図６】
2005160843.tif 000008